(57)【要約】【課題】  本発明は装置架と電子装置に係り、プラグインユニットが実装されていないスロット部へのブランク盤の取付けの手間をなくし、また、プラグインユニットの増設時などにおいて、ブランク盤の取り外しの手間をなくした技術を提供する。【解決手段】  プラグインユニットを実装する複数のスロット部と、スロット部内に取り付き、スロット部へのプラグインユニットの未実装時にスロット部の開口部を塞ぎ、スロット部へのプラグインユニットの挿入時に、スロット部の内方へ押し下げられてスロット部の前方へ突出するブランク盤と、各スロット部の内部に装着され、ブランク盤を開口部を塞ぐ方向に付勢する弾性機構と、ブランク盤とスロット部の側壁に設けられ、スロット部の内方へ押し下げられたブランク盤盤を固定する固定部材とを有する。【選択図】    図８
2014212229.tif 000002
【特許請求の範囲】
【請求項１】
プラグインユニットを実装する複数のスロット部と、
前記スロット部内に取り付き、前記スロット部へのプラグインユニットの未実装時にスロット部の開口部を塞ぎ、前記スロット部へのプラグインユニットの挿入時に、前記スロット部の内方へ押し下げられてスロット部の前方へ突出するブランク盤と、
前記各スロット部の内部に装着され、前記ブランク盤を前記開口部を塞ぐ方向に付勢する弾性機構と、
前記ブランク盤と前記スロット部の側壁に設けられ、前記スロット部の内方へ押し下げられたブランク盤を固定する固定部材と、
を有することを特徴とする装置架。
【請求項２】
請求項１に記載の装置架において、
前記弾性機構は、
前記スロット部の左右の側壁に固着された取付部材と、
前記ブランク盤の左右の裏面に固着された取付部材と、
上端と下端がＬ字状に折曲され、上端が前記ブランク盤側の取付部材に回転可能に挿入されるとともに、下端が前記側壁側の取付部材に回転可能に挿入されて、スロット部の前後方向へ回転可能な左右一対の連結部材と、
前記側壁側の取付部材に装着され、前記連結部材をスロット部の後方へ付勢する弾性部材と、
前記ブランク盤側の取付部材に装着され、前記ブランク盤をスロット部の前方へ付勢する弾性部材と、
前記側壁側及び前記ブランク盤側の取付部材に設けられ、前記連結部材と前記ブランク盤の回転範囲を規制する規制部とを有し、
スロット部へのプラグインユニットの未実装時に、前記弾性部材の弾性力で前記連結部材がスロット部の後方へ回転し、前記弾性部材の弾性力で前記ブランク盤がスロット部の前方へ回転して、前記ブランク盤がスロット部の開口部を塞ぐことを特徴とする装置架。
【請求項３】
請求項２に記載の装置架において、
前記規制部は、前記連結部材が挿入された前記側壁側及び前記ブランク盤側の取付部材の一端側に切り欠かれた切欠きで、
前記連結部材は、前記切欠きの範囲内で回転可能で、前記ブランク盤は、前記切欠きの範囲内で回転可能であることを特徴とする収納架。
【請求項４】
後部の裏面に押圧部が突設されたプラグインユニットと、
内部にプラグインユニットを実装する複数のスロット部が設けられた箱型の装置架と、
前記スロット部内に取り付き、前記スロット部へのプラグインユニットの未実装時にスロット部の開口部を塞ぎ、前記スロット部へのプラグインユニットの挿入に伴い、前記押圧部で前記スロット部の内方へ押し下げられて前記スロット部の前方へ突出するブランク盤と、
前記各スロット部の内部に装着され、前記ブランク盤を前記開口部を塞ぐ方向に付勢する弾性機構と、
前記ブランク盤と前記スロット部の側壁に設けられ、前記押圧部で押し下げられたブランク盤を固定する固定部材と、
を有することを特徴とする電子装置。
【請求項５】
請求項４に記載の電子装置において、
前記弾性機構は、
前記スロット部の左右の側壁に固着された取付部材と、
前記ブランク盤の左右の裏面に固着された取付部材と、
上端と下端がＬ字状に折曲され、上端が前記ブランク盤側の取付部材に回転可能に挿入されるとともに、下端が前記側壁側の取付部材に回転可能に挿入されて、スロット部の前後方向へ回転可能な左右一対の連結部材と、
前記側壁側の取付部材に装着され、前記連結部材をスロット部の後方へ付勢する弾性部材と、
前記ブランク盤側の取付部材に装着され、前記ブランク盤をスロット部の前方へ付勢する弾性部材と、
前記側壁側及び前記ブランク盤側の取付部材に設けられ、前記連結部材と前記ブランク盤の回転範囲を規制する規制部とを有し、
スロット部へのプラグインユニットの未実装時に、前記弾性部材の弾性力で前記連結部材がスロット部の後方へ回転し、前記弾性部材の弾性力で前記ブランク盤がスロット部の前方へ回転して、前記ブランク盤がスロット部の開口部を塞ぐことを特徴とする電子機器。
【請求項６】
請求項５に記載の電子装置において、
前記規制部は、前記連結部材が挿入された前記側壁側及び前記ブランク盤側の取付部材の一端側に周方向へ切り欠かれた切欠きで、
前記連結部材は、前記切欠きの範囲内で回転可能で、前記ブランク盤は、前記切欠きの範囲内で回転可能であることを特徴とする電子装置。
【発明の詳細な説明】
【技術分野】
【０００１】
本発明は、複数のプラグインユニットを実装する装置架と、装置架にプラグインユニットを実装した電子装置に関する。
【背景技術】
【０００２】
従来、通信装置や測定装置などの電子装置では、保守、点検を容易にし、また、電子装置の機能を容易に拡張できるように電子回路をユニット化したプラグインユニットを、装置架（以下「シェルフ」という）の内部のスロット部に挿抜する機構を持たせている。
【０００３】
電子装置に用いられるシェルフは箱型で、ユニットの挿抜のために前面が開放され、シェルフの内部にプラグインユニットを実装する複数のスロット部が設けられている。
【０００４】
そして、プラグインユニットが実装されていないスロット部の開口部には、冷却ファンからの冷却風の漏出を防ぐブランク盤が取り付けられている。
【０００５】
更にまた、例えば保守のため、シェルフの内部に実装された複数のプラグインユニットから一つのプラグインユニットを抜き去る際にも、プラグインユニットを抜き去ったスロット部の開口部にブランク盤を取り付けて、冷却風の漏れを防いでいる。そして、ブランク盤は、一例としてスロット部の開口部に着脱自在に係合する係合部材を有し、開口部を塞ぐように開口部とほぼ同一寸法とされた板材が使用されている（例えば、特許文献１参照）。
【先行技術文献】
【特許文献】
【０００６】
【特許文献１】特開平２−２７８７９８号公報
【発明の概要】
【発明が解決しようとする課題】
【０００７】
しかし、プラグインユニットが実装されていないスロット部にブランク盤を取り付ける作業は手間がかかり、また、ブランク盤の取り付けを忘れてしまう虞がある。
【０００８】
一方、ユーザがプラグインユニットを新たに増設する場合には、スロット部に取り付けたブランク盤を取り外すため、ブランク盤の取り外しに手間がかかり、また、取り外したブランク盤が余剰部品となることから、在庫管理や納品管理が煩雑になるという虞がある。
【０００９】
更に、プラグインユニットを減設する場合には、再度、ブランク盤をスロット部に取り付けるうえ、プラグインユニットを増設した際に取り外されたブランク盤が紛失していることもある。
【００１０】
本件開示の装置架及び電子装置は、プラグインユニットが実装されていないスロット部へのブランク盤の取付けの手間をなくし、併せて例えばプラグインユニットの増設時において、ブランク盤の取り外しの手間をなくした技術を提供することを目的とする。
【課題を解決するための手段】
【００１１】
一つの観点による装置架は、プラグインユニットを実装する複数のスロット部と、前記スロット部内に取り付き、前記スロット部へのプラグインユニットの未実装時にスロット部の開口部を塞ぎ、前記スロット部へのプラグインユニットの挿入時に、前記スロット部の内方へ押し下げられてスロット部の前方へ突出するブランク盤と、前記各スロット部の内部に装着され、前記ブランク盤を前記開口部を塞ぐ方向に付勢する弾性機構と、前記ブランク盤と前記スロット部の側壁に設けられ、前記スロット部の内方へ押し下げられたブランク盤を固定する固定部材とを有することを特徴とする。
【００１２】
別の観点による電子装置は、後部の裏面に押圧部が突設されたプラグインユニットと、前面が開放され、内部にプラグインユニットを実装する複数のスロット部が設けられた箱型の装置架と、前記スロット部内に取り付き、前記スロット部へのプラグインユニットの未実装時にスロット部の開口部を塞ぎ、前記スロット部へのプラグインユニットの挿入に伴い、前記押圧部で前記スロット部の内方へ押し下げられて前記スロット部の前方へ突出するブランク盤と、前記各スロット部の内部に装着され、前記ブランク盤を前記開口部を塞ぐ方向に付勢する弾性機構と、前記ブランク盤と前記スロット部の側壁に設けられ、前記押圧部で押し下げられたブランク盤を固定する固定部材とを有することを特徴とする。
【発明の効果】
【００１３】
本件開示の装置架及び電子装置によれば、プラグインユニットの実装されていないスロット部へのブランク盤の取付けの手間がなくなり、また、例えばプラグインユニットの増設時において、ブランク盤の取り外しの手間がなくなった。
【図面の簡単な説明】
【００１４】
【図１】装置架にプラグインユニットを実装した電子装置の一実施形態の斜視図である。
【図２】図１に示す通信装置のシェルフ内の一つのスロット部内の平面図である。
【図３】図１に示す通信装置のシェルフ内の一つのスロット部の正面図である。
【図４】図２に示すスロット部の開口部を開閉するブランク盤の動作を説明する説明図である。
【図５】図２に示した弾性機構の連結部材と、連結部材の移動範囲を規制する規制部材の説明図である。
【図６】図２に示した弾性機構の連結部材と、ブランク盤の移動範囲を規制する規制部材の説明図である。
【図７】図２，図４で説明したスロット部の開口部を塞ぐブランク盤と弾性機構の側面図である。
【図８】図７のスロット部にプラグインユニットを挿入した際のブランク盤と弾性機構，ユニットの側面図である。
【図９】図８に示すユニットの先端の側面図である。
【図１０】図９のＡ矢視図である。
【図１１】図８に示すブランク盤の先端の側面図である。
【図１２】スロット部へのプラグインユニットの挿入途中のブランク盤と弾性機構，プラグインユニットの側面図である
【図１３】図７に示すブランク盤の先端側の側面図である。
【図１４】スロット部へのプラグインユニットの挿入完了の状態を示すブランク盤と弾性機構，プラグインユニットの側面図である。
【発明を実施するための形態】
【００１５】
以下、図面を用いて実施形態を説明する。
【００１６】
図１は装置架にプラグインユニットを実装した電子装置の一実施形態の斜視図を示している。図１では、例えば電子装置の一例として通信装置３が示されている。図１において、１は通信装置３の箱型の装置架（以下「シェルフ」という）で、シェルフ１は前面が開放され、内部にプラグインユニット（以下「ユニット」という）５を横置きに実装するスロット部７が上下に複数設けられている。
【００１７】
スロット部７の開口部の左右の周縁には、スロット部７へのユニット５の挿入時に、ユニット５を案内するスリット９がスロット部７の内方へ水平に設けられており、左右のスリット９に、後述するユニット５のプリント基板１１が挿入される。そして、スロット部７の内部の左右の側壁１３，１５（図２）に、ガイドレール１７（図８）がスリット９と同一線上に設けられており、スロット部７へユニット５を挿入すると、後述する図１４で示すようにユニット５が左右のガイドレール１７で保持される。
【００１８】
ユニット５は、多数の電子部品が実装されたプリント基板１１と、プリント基板１１の前部に設けられた表面板１９とを有し、表面板１９に外部からの光ケーブル（図示せず）が接続される複数のモジュール２１が装着されている。
【００１９】
また、図１に示すようにシェルフ１の前面の下部に吸気口２３が設けられ、シェルフ１の背面側にはファンユニットが装着されている。そして、ファンユニットによって吸気口２３からシェルフ１内に取り込まれた冷却風が、各スロット部７に実装されたユニット５の電子部品を冷却した後、ファンユニットから外部に排気されるようになっている。
【００２０】
そして、各スロット部７には、ユニット５の実装の有無に拘わらず一枚の板状のブランク盤２５が装着されており、ユニット５が実装されていないスロット部７では、ブランク盤２５がスロット部７の開口部を塞ぐ構造となっている。尚、図１では、説明を分かりやすくするため、シェルフ１の前面の中央よりもやや上方に位置するスロット部７の開口部を塞ぐブランク盤の図示を省略している。
【００２１】
図２は図１に示す通信装置３のシェルフ１内の一つのスロット部７内の平面図、図３は図１に示す通信装置３のシェルフ１内の一つのスロット部の正面図である。また、図４は図２に示すスロット部７の開口部２９を開閉するブランク盤２５の動作を説明する説明図である。
【００２２】
更に、図５は図２に示した弾性機構２７の連結部材と、連結部材の移動範囲を規制する取付部材の説明図、図６は図２に示した弾性機構２７の連結部材と、ブランク盤２５の移動範囲を規制する取付部材の説明図である。
【００２３】
図１乃至図３に示すようにブランク盤２５は、例えばスロット部７の開口部２９よりも僅かに大きな寸法とされた矩形状の樹脂製の板材で、ブランク盤２５は弾性機構２７を介してスロット部７内の左右の側壁１３，１５に取り付けられている。
【００２４】
弾性機構２７は、互いに軸心を同じくして側壁１３，１５に設けられた取付部材３１と、互いに軸心を同じくしてブランク盤２５の左右の裏面に設けられた取付部材３３と、取付部材３１，３３間に連結された一対の連結部材３５と、連結部材３５に巻装されたねじりばね３７を有する。ねじりばね３７は、弾性部材の一例である。
【００２５】
図２に示すように左右の連結部材３５は、例えば上端３５ａと下端３５ｂが一例として反対方向へＬ字状に折曲された横断面が円形状の棒材で、下端３５ｂは側壁１３，１５方向へ折曲し、側壁１３，１５に固着された取付部材３１内に回転可能に挿入されている。
【００２６】
図２及び図５に示すように取付部材３１は、連結部材３５の下端３５ｂが挿入可能な例えば円筒状に形成され、連結部材３５の下端３５ｂが挿入される一端側の周壁に、切欠き３９が取付部材３１の周方向に亘って設けられている。切欠き３９は、規制部の一例である。
【００２７】
切欠き３９は連結部材３５の回転範囲を規制するもので、切欠き３９によって連結部材３５は、図４の破線で示す如く取付部材３１を回転中心にシェルフ１の前方へ水平に突出した位置から、実線で示す如く上方へ４５度の範囲に亘って回転できるようになっている。尚、４５度の範囲は一例である。
【００２８】
更に、図２に示すように下端３５ｂの外周にねじりばね３７が巻装され、ねじりばね３７の一端側は切欠き３９の端面に圧接し、ねじりばね３７の他端側は下端３５ｂ近傍の連結部材３５に圧接している。ねじりばね３７のばね力によって、連結部材３５は、図４の如く取付部材３１を回転中心に矢印Ａ方向へ付勢され、矢印Ａ方向へ付勢された連結部材３５は、切欠き３９によって同方向への回転が規制される。
【００２９】
一方、図２に示すように連結部材３５の上端３５ａは、ブランク盤２５の裏面に取り付く取付部材３３内に回転可能に挿入されている。取付部材３３は、連結部材３５の上端３５ａが挿入可能な例えば円筒状に形成され、図３に示すようにブランク盤２５の上下方向の中央よりもやや下方の左右の裏面側に取り付けられている。
【００３０】
そして、図２及び図６に示すように上端３５ａが挿入される取付部材３３の一端側の周壁に、ブランク盤２５の回転範囲を規制する切欠き４１が取付部材３３の周方向に亘って設けられている。切欠き４１は、規制部の一例である。この切欠き４１によって、ブランク盤２５は、図４の破線で示す如く取付部材３３を回転中心にシェルフ１の前方へ水平に突出した位置から、実線で示す如く例えば上方へ９０度の範囲に亘って回転できるようになっている。
【００３１】
更に、図２に示すように上端３５ａの外周にもねじりばね３８が巻装されており、ねじりばね３８の一端側は切欠き４１の端面に圧接し、ねじりばね３８の他端側は上端３５ａ近傍の連結部材３５に圧接している。ねじりばね３８のばね力によって、ブランク盤２５は、図４の如く取付部材３３を回転中心に矢印Ｂ方向へ付勢され、矢印Ｂ方向へ付勢されたブランク盤２５は、切欠き４１によって同方向への回転が規制される。
【００３２】
このような弾性機構２７の構造により、ユニット５が実装されていないスロット部７では、図４の如くねじりばね３７のばね力で連結部材３５が矢印Ａ方向へ付勢される。そして、ねじりばね３８のばね力でブランク盤２５が矢印Ｂ方向へ付勢されて、ブランク盤２５が開口部２９を塞いでいる。
【００３３】
そして、斯様に開口部２９がブランク盤２５で塞がれたスロット部７にユニット５が挿入されると、次に説明するようにブランク盤２５や連結部材３５が押し下げられて、開口部２９が開放されるようになっている。
【００３４】
図７は図２，図４で説明したスロット部７の開口部２９を塞ぐブランク盤２５と弾性機構２７の側面図、図８は図７のスロット部７内にユニット５を挿入した際のブランク盤２５と弾性機構２７，ユニット５のそれぞれの側面図を示している。
【００３５】
また、図９は図８に示すユニット５の先端の側面図、図１０は図９のＡ矢視図、図１１は図８に示すブランク盤２５の先端の側面図、図１２はスロット部７へのユニット５の挿入途中のブランク盤２５と弾性機構２７，ユニット５の側面図である。更に、図１３は図７に示すブランク盤２５の先端側の側面図、図１４はスロット部７へのユニット５の挿入完了の状態を示すブランク盤２５と弾性機構２７，ユニット５の側面図を示している。
【００３６】
図７に示すようにユニット５が実装されていないスロット部７では、図２，図３で示すようにブランク盤２５が開口部２９を塞いでいる。そして、図８の如くスロット部７内へユニット５が挿入されると、先ず、ユニット５は、取付部材３３より上方、即ち、ブランク盤２５と連結部材３５との連結部位より上方のブランク盤２５の表面を押圧するようになっている。
【００３７】
一方、図８乃至図１０に示すようにプリント基板１１の先端の裏面側には、側面から見て台形形状の一個の押圧部４５が突設されている。尚、押圧部４５の形状は斯様に台形形状に限定されるものではなく、例えば押圧部を断面半円形状としてもよい。
【００３８】
押圧部４５は、スロット部７へのユニット５の挿入に伴い、図８の如くねじりばね３７，３８（図２）のばね力に抗して連結部材３５を矢印Ｃ方向へ回転させ、ブランク盤２５を矢印Ｄ方向へ回転させて連結部材３５とブランク盤２５を同方向へ押し下げる機能を持つ。このため、押圧部４５は、スロット部７の内方へ押し下げられるブランク盤２５の表面に当接する傾斜面４３を有している。
【００３９】
図２，図８，図１１に示すようにブランク盤２５の先端の側壁１３，１５側の裏面には、側面から見てＣ字状の係止片４７が突設され、図２，図８に示すように側壁１３，１５には円柱状の係止ピン４９が突設されている。係止片４７と係止ピン４９は、固定手段の一例である。
【００４０】
そして、図８に示すように、押圧部４５によって矢印Ｄ方向へ押し下げられたブランク盤２５が図１２の如く水平状態になると、図１２，図１３の如く係止片４７が係止ピン４９に係止して、ブランク盤２５が側壁１３，１５に固定されるようになっている。また、図８で説明したように、ユニット５は取付部材３３より上方のブランク盤２５を矢印Ｄ方向へ押圧し、これに伴い、連結部材３５は矢印Ｃ方向へ回転する。このため、スロット部７の内方へ押し下げられたブランク盤２５は、図１及び図１４の如くシェルフ１の前方へ突出して、係止片４７と係止ピン４９によって側壁１３，１５に固定される。
【００４１】
この後、図１４に示すように、ユニット５がガイドレール１７に保持されてスロット部７にユニット５が実装され、スロット部７へのユニット５の取り付けが完了する。
【００４２】
また、例えば保守のため、作業者がスロット部７に実装されたユニット５を抜き去る際には、スロット部７からユニット５を抜き去った後、図１４の如くシェルフ１（図１）の前方へ突出するブランク盤２５を矢印Ｅ方向へ押し下げればよい。すると、係止片４７と係止ピン４９との係止状態が解除される。この結果、図４の如くねじりばね３７（図２）の復元力で連結部材３５が矢印Ａ方向へ回転し、ねじりばね３８（図２）の復元力でブランク盤２５が矢印Ｂ方向へ回転して、スロット部７の開口部２９がブランク盤２５で塞がれるようになっている。
【００４３】
本実施形態に係る通信装置３はこのような構造を有しており、例えば全てのスロット部７にユニット５が実装されていない場合、図４の如くねじりばね３７（図２）のばね力で、連結部材３５が取付部材３１を回転中心に矢印Ａ方向へ付勢される。同時に、ねじりばね３８（図２）のばね力で、ブランク盤２５が取付部材３３を回転中心に矢印Ｂ方向へ付勢されるため、各スロット部７の開口部２９が各スロット部７のブランク盤２５で塞がれる。
【００４４】
この後、スロット部７にユニット５が挿入されてシェルフ１にユニット５が実装されるが、スロット部７へのユニット５の挿入に当たり、図８の如くユニット５は、取付部材３３より上方のブランク盤２５の表面を押圧する。このため、スロット部７へのユニット５の挿入に伴い、押圧部４５が、ねじりばね３７（図２）のばね力に抗して連結部材３５を矢印Ｃ方向へ回転させ、同時に押圧部４５が、ねじりばね３８（図２）のばね力に抗してブランク盤２５を矢印Ｄ方向へ回転させて、連結部材３５とブランク盤２５を同方向へ押し下げる。
【００４５】
そして、押圧部４５によってブランク盤２５が図１２の如く水平状態まで押し下げられると、図１３，図１４の如く係止片４７が係止ピン４９に係止してブランク盤２５が側壁１３，１５に固定される。このとき、図１に示すようにブランク盤２５は、シェルフ１の前方へ突出して側壁１３，１５に固定される。この後、図１４の如くユニット５がガイドレール１７に保持されてスロット部７にユニット５が実装される。
【００４６】
また、例えば保守のため、作業者がスロット部７からユニット５を抜き取った後は、図１４の如くシェルフ１（図１）の前方へ突出するブランク盤２５を矢印Ｅ方向へ押し下げて、係止片４７と係止ピン４９との係止状態を解除すればよい。すると、図４の如くねじりばね３７（図２）のばね力で連結部材３５が矢印Ａ方向へ回転し、ねじりばね３８（図２）のばね力でブランク盤２５が矢印Ｂ方向へ回転して、スロット部７の開口部２９がブランク盤２５で塞がれる。これにより、スロット部７の開口部２９からの冷却ファンの冷却風の漏出が抑制される。
【００４７】
このように図１の通信装置３は、ユニット５が実装されていないスロット部７では、スロット部７内に装着した弾性機構２７によってブランク盤２５が開口部２９を塞ぐ構造としたため、ユニット５の未実装スロット部７へのブランク盤の取付けが不要となる。
【００４８】
また、ユニット５をスロット部７に実装した際には、図１４の如くブランク盤２５がスロット部７の底部に格納される構造としたため、ユニット５を新たに増設する場合などにおいて、ブランク盤２５を取り外す必要がない。この結果、ブランク盤の取り外しの手間や外したブランク盤の在庫管理や納品管理が不要となる。
【００４９】
更に、近年の通信装置の高機能化に伴い、プリント基板への電子部品の高密度化などが進み、ユニット５が大型化して重量が増加している。
【００５０】
このため、図１の通信装置３の如くシェルフのスロット部内に複数のユニットを水平方向に実装する横置きタイプの場合、作業者にとってユニットが重く、スロット部からユニットを引き抜いた瞬間、スロット部の高さからユニットが下がってしまうことがある。
【００５１】
しかし、斯様に引き抜いたユニットが下がってしまうと、ユニットが下段のユニットに接続されている光ケーブル等の外線ケーブルに接触して、外線ケーブルを破損してしまう虞があった。
【００５２】
これに対し、図１の通信装置３は、スロット部７からユニット５を抜き去った際に、ブランク盤２５がシェルフ１の前方へ突出しているため、ブランク盤２５によって下段のユニットに接続されている外線ケーブルが保護される。
【００５３】
また、ユニット５の重みでユニット５が下がってブランク盤２５が図１４の如く矢印Ｅ方向へ押し下げられても、ブランク盤２５がユニット５と下段のユニットの外線ケーブルとの間に介在して外線ケーブルを保護する。
【００５４】
従って、図１の通信装置３によれば、保守点検などでユニット５をスロット部７から抜き去る際に、下段のユニットの外線ケーブルが保護される。
【００５５】
更に、ユニット５の未実装時にスロット部７の開口部２９がブランク盤２５で塞がれ、ユニット５がブランク盤２５に当接すると、ブランク盤２５が図８の矢印Ｄ方向へ倒れてスロット部７が開くため、ユニット５を挿入させるスロット部７の位置が明確となる。
【００５６】
このため、例えば上下のスロット部７間に、ユニット５を誤って左右方向へ斜めに傾いた状態で挿入させてしまうことがなくなり、スロット部７の内部のコネクタを破損してしまうことがない。
【００５７】
以上の詳細な説明により、実施形態の特徴点及び利点が明らかになるであろう。これは、特許請求の範囲がその精神及び権利範囲を逸脱しない範囲で前述のような実施形態の特徴点及び利点にまで及ぶことを意図するものである。また、当該技術分野において通常の知識を有する者であれば、あらゆる改良及び変更に容易に想到できるはずである。従って、発明性を有する実施形態の範囲を前述したものに限定する意図はなく、実施形態に開示された範囲に含まれる適当な改良及び均等物に拠ることも可能である。
【符号の説明】
【００５８】
１・・・シェルフ；３・・・通信装置；５・・・ユニット；７・・・スロット部；９・・・スリット；１１・・・プリント基板；１３，１５・・・側壁；１７・・・ガイドレール１７；１９・・・表面板；２１・・・モジュール；２３・・・ファンユニット；２５・・・ブランク盤；２７・・・弾性機構；２９・・・開口部；３１，３３・・・取付部材；３５・・・連結部材；３７，３８・・・ねじりばね；３９，４１・・・切欠き；４５・・・押圧部；４７・・・係止片；４９・・・係止ピン
【図１】
2014212229.tif 000003
【図２】
2014212229.tif 000004
【図３】
2014212229.tif 000005
【図４】
2014212229.tif 000006
【図５】
2014212229.tif 000007
【図６】
2014212229.tif 000008
【図７】
2014212229.tif 000009
【図８】
2014212229.tif 000010
【図９】
2014212229.tif 000011
【図１０】
2014212229.tif 000012
【図１１】
2014212229.tif 000013
【図１２】
2014212229.tif 000014
【図１３】
2014212229.tif 000015
【図１４】
2014212229.tif 000016